(57)【特許請求の範囲】
【請求項１】
画像データと表示範囲情報を送信する表示制御手段と、上記表示制御手段から送信される画像データと表示範囲情報を受信すると、その表示範囲情報を参照して、自画面の表示領域と隣接領域に含まれる部分の画像データを切り抜く複数の画像切り抜き手段と、上記複数の画像切り抜き手段により切り抜かれた画像データをそれぞれ保持する複数の画像保持手段と、上記複数の画像保持手段により保持されている画像データの座標系をそれぞれ自画面の座標系に変換する複数の座標変換手段と、上記複数の座標変換手段により座標系が変換された画像データにしたがって画像をそれぞれ自画面に表示する複数の画像生成手段とを備えた画像描画装置。
【請求項２】
画像切り抜き手段は、隣接領域を動的に変更することを特徴とする請求項１記載の画像描画装置。
【請求項３】
画像切り抜き手段は、隣接領域を繰り返し変更して、その隣接領域の最適化を図ることを特徴とする請求項２記載の画像描画装置。
【請求項４】
画像データと表示範囲情報を送信する表示制御手段と、上記表示制御手段から送信される画像データと表示範囲情報を受信すると、その表示範囲情報を参照して、自画面の表示領域に含まれる部分の画像データを切り抜く複数の画像切り抜き手段と、上記複数の画像切り抜き手段により切り抜かれた画像データをそれぞれ保持する複数の画像保持手段と、上記複数の画像保持手段により保持されている画像データの座標系をそれぞれ自画面の座標系に変換する複数の座標変換手段と、上記複数の座標変換手段により座標系が変換された画像データにしたがって画像をそれぞれ自画面に表示する複数の画像生成手段とを備えた画像描画装置において、上記複数の画像切り抜き手段は表示範囲の変更情報を受けると、上記複数の画像保持手段により保持されている画像データから不要部分をそれぞれ切り抜いて、その不要部分の画像データを上記表示制御手段に送信する一方、上記表示制御手段が不要部分の画像データにしたがって矩形画像を生成すると、その矩形画像にしたがって上記複数の画像保持手段により保持されている画像データをそれぞれ再構成することを特徴とする画像描画装置。
【請求項５】
表示制御手段は、不要部分の画像データを複数個受信すると、複数の画像データを組み合わせて矩形画像を生成することを特徴とする請求項４記載の画像描画装置。
【請求項６】
表示制御手段は、不要部分の画像データにしたがって矩形画像を生成すると、その矩形画像の必要な画像切り抜き手段に対して当該矩形画像を送信することを特徴とする請求項４記載の画像描画装置。
【請求項７】
表示制御手段は、複数の矩形画像を生成した場合、表示面積の大きな矩形画像から順番に送信することを特徴とする請求項６記載の画像描画装置。
【請求項８】
画像データと表示範囲情報を送信する表示制御手段と、上記表示制御手段から送信される画像データと表示範囲情報を受信すると、その表示範囲情報を参照して、自画面の表示領域に含まれる部分の画像データを切り抜く複数の画像切り抜き手段と、上記複数の画像切り抜き手段により切り抜かれた画像データをそれぞれ保持する複数の画像保持手段と、上記複数の画像保持手段により保持されている画像データの座標系をそれぞれ自画面の座標系に変換する複数の座標変換手段と、上記複数の座標変換手段により座標系が変換された画像データにしたがって画像をそれぞれ自画面に表示する複数の画像生成手段とを備えた画像描画装置において、上記複数の画像切り抜き手段は表示範囲の変更情報を受けると、上記複数の画像保持手段により保持されている画像データから不要部分をそれぞれ切り抜いて、その不要部分の画像データを他の画像切り抜き手段に送信する一方、他の画像切り抜き手段から不要部分の画像データを受信すると、その不要部分の画像データにしたがって上記画像保持手段により保持されている画像データを再構成することを特徴とする画像描画装置。
【請求項９】
画像切り抜き手段は、不要部分の画像データを符号化して他の画像切り抜き手段に送信する一方、他の画像切り抜き手段から受信した不要部分の画像データを復号化することを特徴とする請求項８記載の画像描画装置。
【請求項１０】
複数の表示処理部が表示制御部から送信される画像データと表示範囲情報を受信すると、その表示範囲情報を参照することにより、自画面の表示領域と隣接領域に含まれる部分の画像データをそれぞれ切り抜いて保持する一方、それらの画像データの座標系をそれぞれ自画面の座標系に変換し、自画像の座標系の画像データにしたがって画像をそれぞれ自画面に表示する画像描画方法。
【請求項１１】
隣接領域を動的に変更することを特徴とする請求項１０記載の画像描画方法。
【請求項１２】
隣接領域を繰り返し変更して、その隣接領域の最適化を図ることを特徴とする請求項１１記載の画像描画方法。
【請求項１３】
複数の表示処理部が表示制御部から送信される画像データと表示範囲情報を受信すると、その表示範囲情報を参照することにより、自画面の表示領域に含まれる部分の画像データをそれぞれ切り抜いて保持する一方、それらの画像データの座標系をそれぞれ自画面の座標系に変換し、自画像の座標系の画像データにしたがって画像をそれぞれ自画面に表示する画像描画方法において、表示範囲の変更情報を受けると、保持している画像データから不要部分をそれぞれ切り抜いて、その不要部分の画像データを上記表示制御部に送信する一方、上記表示制御部が不要部分の画像データにしたがって矩形画像を生成すると、その矩形画像にしたがって保持している画像データをそれぞれ再構成することを特徴とする画像描画方法。
【請求項１４】
不要部分の画像データを複数個受信すると、複数の画像データを組み合わせて矩形画像を生成することを特徴とする請求項１３記載の画像描画方法。
【請求項１５】
不要部分の画像データにしたがって矩形画像を生成すると、その矩形画像の必要な表示処理部に対して当該矩形画像を送信することを特徴とする請求項１３記載の画像描画方法。
【請求項１６】
複数の矩形画像を生成した場合、表示面積の大きな矩形画像から順番に送信することを特徴とする請求項１５記載の画像描画方法。
【請求項１７】
複数の表示処理部が表示制御部から送信される画像データと表示範囲情報を受信すると、その表示範囲情報を参照することにより、自画面の表示領域に含まれる部分の画像データをそれぞれ切り抜いて保持する一方、それらの画像データの座標系をそれぞれ自画面の座標系に変換し、自画像の座標系の画像データにしたがって画像をそれぞれ自画面に表示する画像描画方法において、表示範囲の変更情報を受けると、保持している画像データから不要部分をそれぞれ切り抜いて、その不要部分の画像データを他の表示処理部に送信する一方、他の表示処理部から不要部分の画像データを受信すると、その不要部分の画像データにしたがって保持している画像データを再構成することを特徴とする画像描画方法。
【請求項１８】
不要部分の画像データを符号化して他の表示処理部に送信する一方、他の表示処理部から受信した不要部分の画像データを復号化することを特徴とする請求項１７記載の画像描画方法。
【発明の詳細な説明】
【０００１】
【発明の属する技術分野】
この発明は、複数のディスプレイを用いて、一つの大きな画面を構成する画像描画装置及び画像描画方法に関するものである。
【０００２】
【従来の技術】
図２１は例えば特開昭６０−１５４２８７号公報及び特開平９−２０４１６４号公報に示された従来の画像描画装置を示す構成図であり、図において、１は画像データ、２は描画データ送信手段３を備える表示制御部、３は画像データ１と表示範囲情報をマルチキャストにより送信する描画データ送信手段、４は通信手段である。
【０００３】
５ａ〜５ｄは表示制御部２から画像データ１を受信すると、その画像データ１にしたがって画像をディスプレイ１０ａ〜１０ｄに表示する表示処理部、６ａ〜６ｄは表示制御部２から送信された画像データ１を保管する画像保管手段、７ａ〜７ｄは画像保管手段６ａ〜６ｄに保管されている画像データ１のうち、自ディスプレイ１０ａ〜１０ｄの画面に入る画像データのみを選択する描画データ選別手段、８ａ〜８ｄは描画データ選別手段７ａ〜７ｄにより選択された画像データの座標系を大画面全体の座標系から自ディスプレイ１０ａ〜１０ｄの座標系に変換する座標変換手段、９ａ〜９ｄは座標変換手段８ａ〜８ｄにより座標系が変換された画像データにしたがって画像を自ディスプレイ１０ａ〜１０ｄに表示する画像生成手段、１０ａ〜１０ｄは表示処理部５ａ〜５ｄに接続されたディスプレイである。
図２２は従来の画像描画装置の処理内容を示すフローチャートである。
【０００４】
次に動作について説明する。
従来の画像描画装置は、２×２個のディスプレイ１０ａ〜１０ｄで画面を構成し、各ディスプレイ１０ａ〜１０ｄの画面サイズが１２８０×１０２４ピクセルであるので、画面全体のサイズは２５６０×２０４８ピクセルとなる。
また、各ディスプレイ１０ａ〜１０ｄの座標系の左上端を（０，０）、右下端を（１２７９，１０２３）とし、マルチディスプレイの座標系の左上端を（０，０）、右下端を（２５５９，２０４７）とする。
【０００５】
この場合、ディスプレイ１０ａはマルチディスプレイ全体の（０，１０２４）から（１２７９，２０４７）の範囲、ディスプレイ１０ｂはマルチディスプレイ全体の（０，０）から（１２７９，１０２３）の範囲、ディスプレイ１０ｃはマルチディスプレイ全体の（１２８０，０）から（２５５９，１０２３）の範囲、ディスプレイ１０ｄはマルチディスプレイ全体の（１２８０，１０２４）から（２５５９，２０４７）の範囲を表示することになる。
【０００６】
次に、元の画像データ１を（６４０，５１２）、（６４０，１５３５）、（１９１９，１５３５）、（１９１９，５１２）の範囲に表示する例をとって説明する。
図２２において、まず、表示制御部２の描画データ送信手段３は、描画データとして画像データ１と表示範囲情報をマルチキャストにより、すべての表示処理部５ａ〜５ｄに対して送信する。
【０００７】
表示処理部５ａ〜５ｄの画像保管手段６ａ〜６ｄは、表示制御部２から送信された画像データ１を保管する一方、その画像データ１を描画コマンドと一緒に、描画データ選別手段７ａ〜７ｄに出力する。
描画データ選別手段７ａ〜７ｄは、画像保管手段６ａ〜６ｄから画像データ１を受けると、その画像データ１のうち、自ディスプレイ１０ａ〜１０ｄの画面に入る画像データのみを選択して座標変換手段８ａ〜８ｄに出力する。
ここでは、画像データ１は、すべてのディスプレイ１０ａ〜１０ｄの画面内に入るので、そのまま座標変換手段８ａ〜８ｄに出力する。
【０００８】
座標変換手段８ａ〜８ｄは、描画データ選別手段７ａ〜７ｄにより選択された画像データの座標系を大画面全体の座標系から自ディスプレイ１０ａ〜１０ｄの座標系に変換する。
具体的には、マルチディスプレイ上での座標（ｇｘ，ｇｙ）を、マルチディスプレイを構成する個々の画面上でのローカルな座標（ｌｘ，ｌｙ）に変換する場合において、マルチディスプレイの座標系における個々の画面の左上端の座標を（ｏｆｆｓｅｔｘ，ｏｆｆｓｅｔｙ）とすると、次のように表すことができる。
ｌｘ＝ｇｘ−ｏｆｆｓｅｔｘ
ｌｙ＝ｇｙ−ｏｆｆｓｅｔｙ
【０００９】
図２２のディスプレイ表示例について説明すると、座標変換手段８ｂは、接続されているディスプレイ１０ｂの画面の左上端の座標が（０，０）であるので、画像データ１の表示範囲は結果として同じになる。他の座標値も同じである。
座標変換手段８ｃは、接続されているディスプレイ１０ｃの画面の左上端の座標が（１２８０，０）であるので、座標変換処理を施すことにより、画像データ１の始点座標値を（−６４０，５１２）に変換する。他の座標値はそれぞれ（６３９，５１２）、（６３９，１５３５）、（−６４０，１５３５）となる。
【００１０】
座標変換手段８ｄは、接続されているディスプレイ１０ｄの画面の左上端の座標が（１２８０，１０２４）であるので、座標変換処理を施すことにより、画像データ１の座標値を（−６４０，−５１２）、（６３９，−５１２）、（６３９，５１１）、（−６４０，５１１）に変換する。
座標変換手段８ａは、接続されているディスプレイ１０ａの画面の左上端の座標が（０，１０２４）であるので、座標変換処理を施すことにより、画像データの座標値を（６４０，−５１２）、（１２７９，−５１２）、（１２７９，５１１）、（６４０，５１１）に変換する。
【００１１】
画像生成手段９ａ〜９ｄは、座標変換手段８ａ〜８ｄにより座標系が変換された画像データにしたがって画像を自ディスプレイ１０ａ〜１０ｄに表示する。
ここで、画像表示について説明する。
座標変換手段８ｂにより変換された画像データは、（６４０，５１２）、（６４０，１５３５）、（１９１９，１５３５）、（１９１９，５１２）の画像データになっている。
しかし、表示処理装置５ｂに接続されたディスプレイ１０ｂの表示領域は左上端を（０，０）とする１２８０×１０２４であるため、画像生成手段９ｂは、画像データの（６４０，５１２）、（１２７９，５１２）、（１２７９，１０２３）、（６４０，１０２３）の範囲のみ表示する。
【００１２】
同様に画像生成手段９ｃは、（０，５１２）、（６３９，５１２）、（６３９，１０２３）、（０，１０２３）の範囲のみ表示する。
同様に画像生成手段９ｄは、（０，０）、（６３９，０）、（６３９，５１１）、（０，５１１）の範囲のみ表示する。
同様に画像生成手段９ａは、（６４０，０）、（１２７９，０）、（１２７９，５１１）、（６４０，５１１）の範囲のみ表示する。
【００１３】
【発明が解決しようとする課題】
従来の画像描画装置は以上のように構成されているので、画像データ１をマルチディスプレイに表示することができるが、画像の表示位置を移動する毎に、画像データ１のすべてをマルチキャスト送信しなければならず、通信手段４の負荷が増大するなどの課題があった。
【００１４】
この発明は上記のような課題を解決するためになされたもので、通信手段の負荷の増大を招くことなく、画像の表示位置を移動することができる画像描画装置及び画像描画方法を得ることを目的とする。
【００１５】
【課題を解決するための手段】
この発明に係る画像描画装置は、表示制御手段から送信される画像データと表示範囲情報を受信すると、その表示範囲情報を参照して、自画面の表示領域と隣接領域に含まれる部分の画像データを切り抜く複数の画像切り抜き手段と、複数の画像切り抜き手段により切り抜かれた画像データをそれぞれ保持する複数の画像保持手段とを設けたものである。
【００１６】
この発明に係る画像描画装置は、画像切り抜き手段が隣接領域を動的に変更するようにしたものである。
【００１７】
この発明に係る画像描画装置は、画像切り抜き手段が隣接領域を繰り返し変更して、その隣接領域の最適化を図るようにしたものである。
【００１８】
この発明に係る画像描画装置は、複数の画像切り抜き手段が表示範囲の変更情報を受けると、複数の画像保持手段により保持されている画像データから不要部分をそれぞれ切り抜いて、その不要部分の画像データを表示制御手段に送信する一方、表示制御手段が不要部分の画像データにしたがって矩形画像を生成すると、その矩形画像にしたがって複数の画像保持手段により保持されている画像データをそれぞれ再構成するようにしたものである。
【００１９】
この発明に係る画像描画装置は、表示制御手段が不要部分の画像データを複数個受信すると、複数の画像データを組み合わせて矩形画像を生成するようにしたものである。
【００２０】
この発明に係る画像描画装置は、表示制御手段が不要部分の画像データにしたがって矩形画像を生成すると、その矩形画像の必要な画像切り抜き手段に対して当該矩形画像を送信するようにしたものである。
【００２１】
この発明に係る画像描画装置は、表示制御手段が複数の矩形画像を生成した場合、表示面積の大きな矩形画像から順番に送信するようにしたものである。
【００２２】
この発明に係る画像描画装置は、複数の画像切り抜き手段が表示範囲の変更情報を受けると、複数の画像保持手段により保持されている画像データから不要部分をそれぞれ切り抜いて、その不要部分の画像データを他の画像切り抜き手段に送信する一方、他の画像切り抜き手段から不要部分の画像データを受信すると、その不要部分の画像データにしたがって画像保持手段により保持されている画像データを再構成するようにしたものである。
【００２３】
この発明に係る画像描画装置は、画像切り抜き手段が不要部分の画像データを符号化して他の画像切り抜き手段に送信する一方、他の画像切り抜き手段から受信した不要部分の画像データを復号化するようにしたものである。
【００２４】
この発明に係る画像描画方法は、複数の表示処理部が表示制御部から送信される画像データと表示範囲情報を受信すると、その表示範囲情報を参照することにより、自画面の表示領域と隣接領域に含まれる部分の画像データをそれぞれ切り抜いて保持するようにしたものである。
【００２５】
この発明に係る画像描画方法は、隣接領域を動的に変更するようにしたものである。
【００２６】
この発明に係る画像描画方法は、隣接領域を繰り返し変更して、その隣接領域の最適化を図るようにしたものである。
【００２７】
この発明に係る画像描画方法は、表示範囲の変更情報を受けると、保持している画像データから不要部分をそれぞれ切り抜いて、その不要部分の画像データを表示制御部に送信する一方、表示制御部が不要部分の画像データにしたがって矩形画像を生成すると、その矩形画像にしたがって保持している画像データをそれぞれ再構成するようにしたものである。
【００２８】
この発明に係る画像描画方法は、不要部分の画像データを複数個受信すると、複数の画像データを組み合わせて矩形画像を生成するようにしたものである。
【００２９】
この発明に係る画像描画方法は、不要部分の画像データにしたがって矩形画像を生成すると、その矩形画像の必要な表示処理部に対して当該矩形画像を送信するようにしたものである。
【００３０】
この発明に係る画像描画方法は、複数の矩形画像を生成した場合、表示面積の大きな矩形画像から順番に送信するようにしたものである。
【００３１】
この発明に係る画像描画方法は、表示範囲の変更情報を受けると、保持している画像データから不要部分をそれぞれ切り抜いて、その不要部分の画像データを他の表示処理部に送信する一方、他の表示処理部から不要部分の画像データを受信すると、その不要部分の画像データにしたがって保持している画像データを再構成するようにしたものである。
【００３２】
この発明に係る画像描画方法は、不要部分の画像データを符号化して他の表示処理部に送信する一方、他の表示処理部から受信した不要部分の画像データを復号化するようにしたものである。
【００３３】
【発明の実施の形態】
以下、この発明の実施の一形態を説明する。
実施の形態１．
図１はこの発明の実施の形態１による画像描画装置を示す構成図であり、図において、１１は画像データ、１２は表示範囲情報、１３は画像データ１１と表示範囲情報１２から構成された描画データ、１４は描画データ送信手段１５を備える表示制御部（表示制御手段）、１５は描画データ１３をマルチキャストにより送信する描画データ送信手段、１６は通信手段である。
【００３４】
１７ａ〜１７ｄは表示制御部１４から描画データ１３を受信すると、画像データ１１にしたがって画像をディスプレイ２５ａ〜２５ｄに表示する表示処理部、１８ａ〜１８ｄは表示制御部１４から送信された画像データ１１のうち、自ディスプレイ２５ａ〜２５ｄの画面に入る画像データのみを選択する画像データ選別手段、１９ａ〜１９ｄは表示範囲情報１２を参照して、自ディスプレイ２５ａ〜２５ｄの表示領域と隣接領域に含まれる部分の画像データを切り抜く画像切り抜き手段、２０ａ〜２０ｄは画像データ１１の最適な隣接領域を決定する隣接領域最適化手段、２１ａ〜２１ｄは隣接領域最適化手段２０ａ〜２０ｄが隣接領域を決定すると、その決定結果にしたがって画像データ１１を切り抜く領域を変更する隣接領域変更手段である。
【００３５】
２２ａ〜２２ｄは画像切り抜き手段１９ａ〜１９ｄにより切り抜かれた画像データを保持する画像保持手段、２３ａ〜２３ｄは画像保持手段２２ａ〜２２ｄにより保持されている画像データの座標系を大画面全体の座標系から自ディスプレイ２５ａ〜２５ｄの座標系に変換する座標変換手段、２４ａ〜２４ｄは座標変換手段２３ａ〜２３ｄにより座標系が変換された画像データにしたがって画像を自ディスプレイ２５ａ〜２５ｄに表示する画像生成手段、２５ａ〜２５ｄは表示処理部１７ａ〜１７ｄに接続されたディスプレイである。
図２〜図４は画像描画装置の処理内容を示すフローチャートである。
【００３６】
次に動作について説明する。
画像描画装置は、２×２個のディスプレイ２５ａ〜２５ｄで画面を構成し、各ディスプレイ２５ａ〜２５ｄの画面サイズが１２８０×１０２４ピクセルであるので、画面全体のサイズは２５６０×２０４８ピクセルとなる。
また、各ディスプレイ２５ａ〜２５ｄの座標系の左上端を（０，０）、右下端を（１２７９，１０２３）とし、マルチディスプレイ（大画面）の座標系の左上端を（０，０）、右下端を（２５５９，２０４７）とする。
【００３７】
この場合、ディスプレイ２５ａは大画面全体の（０，１０２４）から（１２７９，２０４７）の範囲、ディスプレイ２５ｂは大画面全体の（０，０）から（１２７９，１０２３）の範囲、ディスプレイ２５ｃは大画面全体の（１２８０，０）から（２５５９，１０２３）の範囲、ディスプレイ２５ｄは大画面全体の（１２８０，１０２４）から（２５５９，２０４７）の範囲を表示することになる。
【００３８】
この実施の形態１では、大画面上に横１２８０ｐｉｘｅｌ、縦５０００ｐｉｘｅｌの縦長の画像データ１１を矩形（６４０，５１２）、（１９１９，５１２）、（１９１９，１５３５）、（６４０，１５３５）に画像の始点（０，０）で表示する例をとって説明する。
図２において、まず、表示制御部１４の描画データ送信手段１５は、描画データ１３（画像データ１１、表示範囲情報１２）をマルチキャストにより、すべての表示処理部１７ａ〜１７ｄに対して送信する。
【００３９】
表示処理部１７ａ〜１７ｄの画像データ選別手段１８ａ〜１８ｄは、表示制御部１４から送信された画像データ１１が自ディスプレイ２５ａ〜２５ｄの画面に入る画像データであるか否かを判断し、自ディスプレイ２５ａ〜２５ｄの画面に入る場合、または、一部が入る場合には、その画像データ１１を取り込んで画像切り抜き手段１９ａ〜１９ｄに出力する。
一方、自ディスプレイ２５ａ〜２５ｄの画面に全く入らない場合には、その画像データ１１を取り込まずに破棄する。ただし、この例では、画像データ１１の表示範囲が全ディスプレイ２５ａ〜２５ｄに入るので、画像データ選別手段１８ａ〜１８ｄによって破棄される画像データ１１はない。
【００４０】
画像切り抜き手段１９ａ〜１９ｄの隣接領域最適化手段２０ａ〜２０ｄは、画像データ選別手段１８ａ〜１８ｄから画像データ１１を受けると、その画像データ１１の最適な隣接領域を決定する。画像データ１１が横１２８０ｐｉｘｅｌ、縦５０００ｐｉｘｅｌの縦長の画像であって、表示矩形の移動が縦方向に行われると推測されるような場合には、例えば、隣接領域を縦１０００ｐｉｘｅｌ、横２００ｐｉｘｅｌに決定する。
なお、隣接領域最適化手段２０ａ〜２０ｄは、表示矩形が移動される毎に隣接領域を決定して、隣接領域の最適化を図る。
【００４１】
画像切り抜き手段１９ａ〜１９ｄは、隣接領域最適化手段２０ａ〜２０ｄが最適な隣接領域を決定すると、表示範囲情報１２を参照することにより、画像データ選別手段１８ａ〜１８ｄが出力する画像データ１１の中から、自ディスプレイ２５ａ〜２５ｄの表示領域と隣接領域に含まれる部分の画像データを切り抜いて、その画像データを画像保持手段２２ａ〜２２ｄに出力する。
即ち、自ディスプレイ２５ａ〜２５ｄの表示領域に含まれる部分の画像データを切り抜くとともに、自ディスプレイ２５ａ〜２５ｄの隣接領域に含まれる部分の画像データを切り抜くが、隣接領域最適化手段２０ａ〜２０ｄが表示矩形の移動等に伴って最適な隣接領域を更新すると、隣接領域変更手段２１ａ〜２１ｄが画像データ１１を切り抜く領域を更新後の隣接領域に変更する。
【００４２】
この例では、ディスプレイ２５ａの表示範囲は（０，１０２４）から（１２７９，２０４７）なので、隣接領域を含めると、切り抜き範囲は（−２００，２４）から（１４７９，３０４７）に決定される。
ディスプレイ２５ｂの表示範囲は（０，０）から（１２７９，１０２３）なので、隣接領域を含めると、切り抜き範囲は（−２００，−１０００）から（１４７９，２０２３）に決定される。
ディスプレイ２５ｃの表示範囲は（１２８０，０）から（２５５９，１０２３）なので、隣接領域を含めると、切り抜き範囲は（１０８０，−１０００）から（２７５９，２０２３）に決定される。
ディスプレイ２５ｄの表示範囲は（１２８０，１０２４）から（２７５９，２０４７）なので、隣接領域を含めると、切り抜き範囲は（１０８０，２４）から（２７５９，３０４７）に決定される。
【００４３】
なお、画像切り抜き手段１９ａ〜１９ｄは、上記のようにして切り抜き範囲を決定すると、その切り抜き範囲に含まれる部分の画像データを切り抜くが、切り抜き範囲外の画像データ、即ち、自ディスプレイ２５ａ〜２５ｄの表示範囲外の画像データを破棄し、画像データ１１の全体よりも、小さい画像データを画像保持手段２２ａ〜２２ｄに出力する。
【００４４】
この例では、画像切り抜き手段１９ａにおける切り抜き範囲が（−２００，２４）から（１４７９，３０４７）であるが、画像データ１１は矩形（６４０，５１２）、（１９１９，５１２）、（１９１９，１５３５）、（６４０，１５３５）に画像の始点（０，０）で表示するので、データの存在しない部分を除くと、実際には（６４０，５１２）、（１４７９，５１２）、（１４７９，２５３５）、（６４０，２５３５）の範囲に切り抜かれ、画像保持手段２２ａに渡される。
【００４５】
同様に、画像切り抜き手段１９ｂにおいて、画像データ１１が（６４０，５１２）、（１４７９，５１２）、（１４７９，２０２４）、（６４０，２０２４）の矩形に切り抜かれ、画像保持手段２２ｂに渡される。
同様に、画像切り抜き手段１９ｃにおいて、画像データが（１０８０，５１２）、（１９１９，５１２）、（１９１９，２０２４）、（１０８０，２０２４）の矩形に切り抜かれ、画像保持手段２２ｃに渡される。
同様に、画像切り抜き手段１９ｄにおいて、画像データが（１０８０，５１２）、（１９１９，５１２）、（１９１９，２５３５）、（１０８０，２５３５）の矩形に切り抜かれ、画像保持手段２２ｄに渡される。
【００４６】
画像保持手段２２ａ〜２２ｄは、画像切り抜き手段１９ａ〜１９ｄにより切り抜かれた画像データを受けると、その切り抜かれた画像データを保持した上で、その切り抜かれた画像データを座標変換手段２３ａ〜２３ｄに出力する。
座標変換手段２３ａ〜２３ｄは、画像保持手段２２ａ〜２２ｄにより保持されている画像データの座標系を大画面全体の座標系から自ディスプレイ２５ａ〜２５ｄの座標系に変換する。
【００４７】
ここで、座標変換処理について説明する。
大画面上での座標（ｇｘ，ｇｙ）を、大画面を構成する個々の画面上でのローカルな座標（ｌｘ，ｌｙ）に変換する場合において、大画面座標系における個々の画面の左上端の座標を（ｏｆｆｓｅｔｘ，ｏｆｆｓｅｔｙ）とすると、次のように表すことができる。
ｌｘ＝ｇｘ−ｏｆｆｓｅｔｘ
ｌｙ＝ｇｙ−ｏｆｆｓｅｔｙ
【００４８】
図２のディスプレイ表示例について説明すると、座標変換手段２３ｂは、接続されているディスプレイ２５ｂの画面の左上端の座標が（０，０）であるので、画像データの表示範囲は結果として同じになる。
座標変換手段２３ａは、接続されているディスプレイ２５ａの画面の左上端の座標が（０，１０２４）であるので、座標変換処理を施すことにより、画像データの表示矩形（６４０，５１２）、（１４７９，５１２）、（１４７９，２５３５）、（６４０，２５３５）は、（６４０，−５１２）、（１４７９，−５１２）、（１４７９，１５１１）、（６４０，１５１１）に変換される。従って、描画データとしては（６４０，０）、（１２７９，０）、（１２７９，５１１）、（６４０，５１１）の矩形の画像データになる。
【００４９】
同様に、座標変換手段２３ｃでは、（−２００，５１２）、（６３９，５１２）、（６３９，２０２４）、（−２００，２０２４）の矩形の画像データになる。
同様に、座標変換手段２３ｄでは、（−２００，−５１２）、（６３９，−５１２）、（６３９，１５１１）、（−２００，１５１１）の矩形の画像データになる。
【００５０】
画像生成手段２４ａ〜２４ｄは、座標変換手段２３ａ〜２３ｄにより座標系が変換された画像データにしたがって画像を自ディスプレイ２５ａ〜２５ｄに表示する。
ここで、画像表示について説明する。
この例では、画像生成手段２４ａは、座標変換手段２３ａにより座標変換された画像データのうち、ディスプレイ２５ａの表示範囲のみ画像生成を行うことによって、ディスプレイ２５ａの（６４０，０）、（１２７９，０）、（１２７９，５１１）、（６４０，５１１）の範囲に画像を表示する。
【００５１】
同様にして、画像生成手段２４ｂによって、ディスプレイ２５ｂの（６４０，５１２）、（１２７９，５１２）、（１２７９，１０２３）、（６４０，１０２３）の範囲に画像を表示する。
同様にして、画像生成手段２４ｃによって、ディスプレイ２５ｃの（０，５１２）、（６３９，５１２）、（６３９，１０２３）、（０，１０２３）の範囲に画像を表示する。
同様にして、画像生成手段２４ｄによって、ディスプレイ２５ｃの（０，０）、（６３９，０）、（６３９，５１１）、（０，５１１）の範囲に画像を表示する。
【００５２】
以上で明らかなように、この実施の形態１によれば、表示制御部１４から送信される画像データ１１と表示範囲情報１２を受信すると、その表示範囲情報１２を参照して、自画面の表示領域と隣接領域に含まれる部分の画像データを切り抜く画像切り抜き手段１９ａ〜１９ｄと、画像切り抜き手段１９ａ〜１９ｄにより切り抜かれた画像データを保持する画像保持手段２２ａ〜２２ｄとを設けるように構成したので、画像の表示位置を移動する毎に画像データ１１のすべてをマルチキャスト送信する必要がない。そのため、通信手段１６の負荷の増大を招くことなく、画像の表示位置を移動することができる効果を奏する。
【００５３】
実施の形態２．
図５はこの発明の実施の形態２による画像描画装置を示す構成図であり、図において、図１と同一符号は同一または相当部分を示すので説明を省略する。
３１は表示位置を移動するための変更座標、３２は変更座標３１を送信する座標変更手段、３３ａ〜３３ｄは座標変更手段３２から送信された変更座標３１にしたがって、画像保持手段２２ａ〜２２ｄに保持されている画像データから不要部分を削除し、その不要部分の画像データを表示制御部１４に送信する削除画像送信手段、３４は削除画像送信手段３３ａ〜３３ｄから送信された削除画像（不要部分の画像データ）から必要に応じて新しい矩形画像を構成する削除画像再構成手段、３５は削除画像送信手段３３ａ〜３３ｄから送信された削除画像を受信する一方、削除画像再構成手段３４により構成された矩形画像を送信する削除画像再送手段である。
【００５４】
３６ａ〜３６ｄは削除画像再送手段３５から送信された矩形画像にしたがって画像保持手段２２ａ〜２２ｄに保持されている画像データを再構成する画像再構成手段である。なお、この実施の形態２では、削除画像送信手段３３ａ〜３３ｄ及び画像再構成手段３６ａ〜３６ｄを画像切り抜き手段１９ａ〜１９ｄと別個に設けているが、画像切り抜き手段１９ａ〜１９ｄが削除画像送信手段３３ａ〜３３ｄと画像再構成手段３６ａ〜３６ｄを内蔵するようにしてもよい。
【００５５】
図６〜図９は画像描画装置の処理内容を示すフローチャートである。図１０は矩形画像データを示す説明図である。
図１０において、５０１〜５０５は画像の移動によって、自画面の領域から領域外に移動するために削除される削除矩形、５１０，５１１は削除画像再構成手段３４により再構成される再構成矩形である。
【００５６】
この実施の形態２では、大画面上に画像データ１１を矩形（６４０，５１２）、（１９１９，５１２）、（１９１９，１５３５）、（６４０，１５３５）に表示した後、始点座標（１１４０，２１２）に移動して、再表示する例をとって説明する。
図６，図７において、画像データを受信して各々の表示範囲に画像を表示するステップ１と、画像データを移動し、移動により不要になった画像データを表示制御部１４内で再構成した後再送するステップ２と、再構成された画像データを受信し、元の画像と合わせて再表示するステップ３とに分けて説明する。
【００５７】
ステップ１の流れについて説明する。
図６，図８，図９において、まず、表示制御部１４の描画データ送信手段１５は、描画データ１３（画像データ１１、表示範囲情報１２）をマルチキャストにより、すべての表示処理部１７ａ〜１７ｄに対して送信する。
【００５８】
表示処理部１７ａ〜１７ｄの画像データ選別手段１８ａ〜１８ｄは、表示制御部１４から送信された画像データ１１が自ディスプレイ２５ａ〜２５ｄの画面に入る画像データであるか否かを判断し、自ディスプレイ２５ａ〜２５ｄの画面に入る場合、または、一部が入る場合には、その画像データ１１を取り込んで画像切り抜き手段１９ａ〜１９ｄに出力する。
一方、自ディスプレイ２５ａ〜２５ｄの画面に全く入らない場合には、その画像データ１１を取り込まずに破棄する。ただし、この例では、画像データ１１の表示範囲が全ディスプレイ２５ａ〜２５ｄに入るので、画像データ選別手段１８ａ〜１８ｄによって破棄される画像データ１１はない。
【００５９】
画像切り抜き手段１９ａ〜１９ｄは、表示範囲情報１２を参照することにより、画像データ選別手段１８ａ〜１８ｄが出力する画像データ１１の中から、自ディスプレイ２５ａ〜２５ｄの表示領域に含まれる部分の画像データを切り抜いて、その画像データを画像保持手段２２ａ〜２２ｄに出力する。即ち、自ディスプレイ２５ａ〜２５ｄの表示範囲外の画像データを破棄し、画像データ１１の全体よりも、小さい画像データを画像保持手段２２ａ〜２２ｄに出力する。
【００６０】
この例では、ディスプレイ２５ａの表示範囲が（０，１０２４）から（１２７９，２０４７）なので、画像切り抜き手段１９ａは、画像データを（６４０，１０２４）、（１２７９，１０２４）、（１２７９，１５３５）、（６４０，１５３５）の矩形に切り抜いて画像保持手段２２ａに出力する。
また、ディスプレイ２５ｂの表示範囲が（０，０）から（１２７９，１０２３）なので、画像切り抜き手段１９ｂは、画像データを（６４０，５１２）、（１２７９，５１２）、（１２７９，１０２３）、（６４０，１０２３）の矩形に切り抜いて画像保持手段２２ｂに出力する。
【００６１】
また、ディスプレイ２５ｃの表示範囲が（１２８０，０）から（２５５９，１０２３）なので、画像切り抜き手段１９ｃは、画像データを（１２８０，５１２）、（１９１９，５１２）、（１９１９，１０２３）、（１２８０，１０２３）の矩形に切り抜いて画像保持手段２２ｃに出力する。
さらに、ディスプレイ２５ｄの表示範囲が（１２８０，１０２４）から（２５５９，２０４７）なので、画像切り抜き手段１９ｄは、画像データを（１２８０，１０２４）、（１９１９，１０２４）、（１９１９，１５３５）、（１２８０，１５３５）の矩形に切り抜いて画像保持手段２２ｄに出力する。
【００６２】
画像保持手段２２ａ〜２２ｄは、画像切り抜き手段１９ａ〜１９ｄにより切り抜かれた画像データを受けると、その切り抜かれた画像データを保持した上で、その切り抜かれた画像データを座標変換手段２３ａ〜２３ｄに出力する。
座標変換手段２３ａ〜２３ｄは、画像保持手段２２ａ〜２２ｄにより保持されている画像データの座標系を大画面全体の座標系から自ディスプレイ２５ａ〜２５ｄの座標系に変換する。
【００６３】
ここで、座標変換処理について説明する。
大画面上での座標（ｇｘ，ｇｙ）を、大画面を構成する個々の画面上でのローカルな座標（ｌｘ，ｌｙ）に変換する場合において、大画面座標系における個々の画面の左上端の座標を（ｏｆｆｓｅｔｘ，ｏｆｆｓｅｔｙ）とすると、次のように表すことができる。
ｌｘ＝ｇｘ−ｏｆｆｓｅｔｘ
ｌｙ＝ｇｙ−ｏｆｆｓｅｔｙ
【００６４】
図６のディスプレイ表示例について説明すると、座標変換手段２３ｂは、接続されているディスプレイ２５ｂの画面の左上端の座標が（０，０）であるので、画像データの表示範囲は結果として同じになる。
また、座標変換手段２３ｃは、接続されているディスプレイ２５ｃの画面の左上端の座標が（１２８０，０）であるので、座標変換処理を施すことにより、画像データの表示矩形（１２８０，５１２）、（１９１９，５１２）、（１９１９，１０２３）、（１２８０，１０２３）は、（０，５１２）、（６３９，５１２）、（６３９，１０２３）、（０，１０２３）に変換される。従って、描画データとしては（０，５１２）、（６３９，５１２）、（６３９，１０２３）、（０，１０２３）の矩形の画像データになる。
【００６５】
同様に、座標変換手段２３ａでは、（６４０，０）、（１２７９，０）、（１２７９，５１１）、（６４０，５１１）の矩形の画像データになる。
同様に、座標変換手段２３ｄでは、（０，０）、（６３９，０）、（６３９，５１１）、（０，５１１）の矩形の画像データになる。
【００６６】
画像生成手段２４ａ〜２４ｄは、座標変換手段２３ａ〜２３ｄにより座標系が変換された画像データにしたがって画像を自ディスプレイ２５ａ〜２５ｄに表示する。これにより、大画面上には表示範囲（６４０，５１２）、（１９１９，５１２）、（１９１９，１５３５）、（６４０，１５３５）の画像データ１１が表示される。
その際、表示処理部１７ａ〜１７ｄが保持している画像データ量は、フルカラー画像データと仮定すると、表示処理部１７ａでは、６４０×４８０×２４／８＝２４５７６００となり、約２５０Ｋｂｙｔｅである。
同様に、表示処理部１７ｂ〜１７ｄでも、約２５０Ｋｂｙｔｅである。
【００６７】
元画像は、縦５０００ｐｉｘｅｌ、横１２８０ｐｉｘｅｌのフルカラー画像データであるので、この画像を保持するためには、５０００×１２８０×２４／８＝５１２０００００で、５１.２Ｍｂｙｔｅのメモリを使用することになり、表示処理部１７ａ〜１７ｄの負荷が減ることは明らかである。
このようにして、各表示処理部１７ａ〜１７ｄが最低限の画像データのみを保持するだけで、大画面上に必要な画像データの表示が可能になる。以上がステップ１の動作の流れである。
【００６８】
次にステップ２の流れについて説明する。
図６において、座標変更手段３２が移動に伴う変更座標３１を表示処理部１７ａ〜１７ｄに対してマルチキャストで送信する。
次に、図６〜８において、画像切り抜き手段１９ａ〜１９ｄは、受信した変更座標３１に基づいて画像データを移動して、不用な部分を切り抜き、その切り抜いた削除矩形を削除画像送信手段３３ａ〜３３ｄに出力する。
【００６９】
この例では、画像切り抜き手段１９ａは、画像保持手段２２ａにより保持されている画像データを（１１４０，１０２４）、（１２７９，１２３５）の矩形に切り取り、不用になった削除矩形５０２，５０３，５０４を削除画像送信手段３３ａに送り、必要な部分のみ画像保持手段２２ａに送る。
画像切り抜き手段１９ｂは、画像保持手段２２ｂにより保持されている画像データを（１１４０，２１２）、（１２７９，７２３）の矩形に切り取り、不用になった削除矩形５０１を削除画像送信手段３３ｂに送り、必要な部分のみ画像保持手段２２ｂに送る。
【００７０】
画像切り抜き手段１９ｃは、画像保持手段２２ｃにより保持されている画像データのうち、移動によって不要になる部分がないので、削除画像送信手段３３ｃには何も送らず、そのまま画像保持手段２２ｃに送る。
画像切り抜き手段１９ｄは、画像保持手段２２ｄにより保持されている画像データを（１７８０，１０２４）、（２４１２，１２３５）の矩形に切り取り、不用になった削除矩形５０５を削除画像送信手段３３ｄに送り、必要な部分のみ画像保持手段２２ｄに送る。
次に、削除画像送信手段３３ａ〜３３ｄは、画像切り抜き手段１９ａ〜１９ｄから出力された削除矩形を表示制御部１４に対して送信する。以上がステップ２の動作の流れである。
【００７１】
次にステップ３の流れについて説明する。
図５において、削除画像再構成手段３４は、削除画像送信手段３３ａ〜３３ｄより送信された削除矩形５０１〜５０５の座標値から大きな矩形に再構成できるものを選別して、矩形の再構成を行う。
ここでは、図１０のような構成になっているので、削除矩形５０１，５０４，５０３から再構成矩形５１０を再構成し、削除矩形５０２，５０４，５０５から再構成矩形５１１を再構成し、再構成矩形５１０，５１１を削除画像再送手段３５に出力する。
【００７２】
削除画像再送手段３５は、削除画像再構成手段３４から再構成矩形５１０，５１１を受けると、その再構成矩形５１０，５１１を表示処理部１７ａ〜１７ｄに対してマルチキャストで送信する。
【００７３】
表示処理部１７ａ〜１７ｄの画像データ選別手段１８ａ〜１８ｄは、表示制御部１４から送信された再構成矩形５１０，５１１が自ディスプレイ２５ａ〜２５ｄの画面に入るか否かを判断し、自ディスプレイ２５ａ〜２５ｄの画面に入る場合、または、一部が入る場合には、その再構成矩形５１０，５１１を取り込んで画像切り抜き手段１９ａ〜１９ｄに出力する。
【００７４】
この例では、画像データ選別手段１８ａは、その表示範囲が（０，１０２４）から（１２７９，２０４７）であり、再構成矩形５１０，５１１が、その表示範囲に入らないので選別しない。
また、画像データ選別手段１８ｂは、その表示範囲が（０，０）から（１２７９，１０２３）であるので、再構成矩形５１１のみ選別する。
また、画像データ選別手段１８ｃは、その表示範囲が（１２８０，０）から（２５５９，１０２３）であるので、再構成矩形５１０，５１１の両方を選別する。
さらに、画像データ選別手段１８ｄは、その表示範囲が（１２８０，１０２４）から（２５５９，２０４７）であるので、再構成矩形５１１のみ選別する。
【００７５】
画像切り抜き手段１９ａ〜１９ｄは、画像データ選別手段１８ａ〜１８ｄから再構成矩形を受けると、その再構成矩形を自ディスプレイ２５ａ〜２５ｄの表示範囲のみに切り取る。
この例では、画像切り抜き手段１９ａは、送られてきた再構成矩形がないので、特に切り抜き処理を行わない。
画像切り抜き手段１９ｂは、再構成矩形５１０を（１１４０，７２４）、（１２７９，１０２３）の矩形に切り取って不用な部分を削除し、不用な部分を削除した再構成矩形５１０を画像再構成手段３６ｂに出力する。
【００７６】
画像切り抜き手段１９ｃは、再構成矩形５１０を（１２８０，２１２）、（１７７９，１０２３）の矩形に切り取って不用な部分を削除し、また、再構成矩形５１１を（１７８０，２１２）、（２４１９，１０２３）の矩形に切り取って不用な部分を削除し、不用な部分を削除した再構成矩形５１０，５１１を画像再構成手段３６ｃに出力する。
画像切り抜き手段１９ｄは、再構成矩形５１１を（１２８０，１０２４）、（１７７９，１２３５）の矩形に切り取って不用な部分を削除し、不用な部分を削除した再構成矩形５１１を画像再構成手段３６ｄに出力する。
【００７７】
画像再構成手段３６ａ〜３６ｄは、画像切り抜き手段１９ａ〜１９ｄから不用な部分を削除した再構成矩形を受けると、その再構成矩形と、画像保持手段２２ａ〜２２ｄに保持されている画像データ（ステップ２を参照）から、新しい矩形画像データを再構成して画像保持手段２２ａ〜２２ｄに出力する。
この例では、画像再構成手段３６ａは、画像切り抜き手段１９ａから何も送られてこないので、画像の再構成処理を行わない。
画像再構成手段３６ｂは、画像切り抜き手段１９ｂから出力された再構成矩形と画像保持手段２２ｂに保持されている画像データから、（１１４０，２１２）、（１２７９，１０２３）の矩形画像データを再構成して画像保持手段２２ｂに出力する。
【００７８】
画像再構成手段３６ｃは、画像切り抜き手段１９ｃから出力された再構成矩形と画像保持手段２２ｃに保持されている画像データから、（１２８０，２１２）、（２４１９，１０２３）の矩形画像データを再構成して画像保持手段２２ｃに出力する。
また、画像再構成手段３６ｄは、画像切り抜き手段１９ｄから出力された再構成矩形と画像保持手段２２ｄに保持されている画像データから、（１２８０，１０２４）、（２４１９，１２３５）の矩形画像データを再構成して画像保持手段２２ｄに出力する。
【００７９】
画像保持手段２２ａ〜２２ｄは、画像再構成手段３６ａ〜３６ｄから矩形画像データを受けると、その矩形画像データの複製を作成した上で、その矩形画像データを座標変換手段２３ａ〜２３ｄに出力する。
座標変換手段２３ａ〜２３ｄは、画像保持手段２２ａ〜２２ｄにより保持されている矩形画像データの座標系を大画面全体の座標系から自ディスプレイ２５ａ〜２５ｄの座標系に変換する。
座標変換処理については、上記実施の形態１で説明したものと同様である。
【００８０】
画像生成手段２４ａ〜２４ｄは、座標変換手段２３ａ〜２３ｄにより座標系が変換された画像データにしたがって画像を自ディスプレイ２５ａ〜２５ｄに表示する。
以上がステップ３の動作の流れである。
【００８１】
以上から明らかなように、この実施の形態２によれば、各表示処理部１７ａ〜１７ｄが最低限の画像データを保持するだけで、画像の表示位置を移動することができる効果を奏する。
なお、この実施の形態２では、画像切り抜き手段１９ａ〜１９ｄが表示領域に含まれる部分の画像データのみを切り抜くものについて示したが、上記実施の形態１と同様に、隣接領域に含まれる部分の画像データも切り抜くようにしてもよい。
【００８２】
実施の形態３．
図１１はこの発明の実施の形態３による画像描画装置を示す構成図であり、図において、図５と同一符号は同一または相当部分を示すので説明を省略する。
３７は複数の削除矩形の表示面積を比較し、その表示面積が大きい順に削除矩形を並べる削除画像判定手段、３８は表示面積の大きな削除矩形から順番に、削除矩形が必要な表示処理部に対してユニキャストで送信する削除画像再送手段である。
図１２〜図１４は画像描画装置の処理内容を示すフローチャートである。図１５は矩形画像データを示す説明図である。
【００８３】
この実施の形態３では、大画面上に画像データ１１を矩形（６４０，５１２）、（１９１９，５１２）、（１９１９，１５３５）、（６４０，１５３５）に表示した後、始点座標（１１４０，２１２）に移動して、再表示する例をとって説明する。
【００８４】
図６，図１２〜図１４において、画像データを受信して各々の表示範囲に画像を表示するステップ１と、画像データを移動し、移動により不要になった画像データを表示制御部１４内で受信するステップ２と、受信した画像データを表示面積の大きなものから順番に、必要とする表示処理部に対して各々送信し、元の画像と合わせて再表示するステップ３とに分けて説明する。
ただし、ステップ１，２の流れについては、上記実施の形態２と同様であるため説明を省略する。
【００８５】
ステップ３の流れについて説明する。
図１１において、削除画像判定手段３７は、表示処理部１７ａ〜１７ｄから送信された削除矩形５０１〜５０５の座標値から、その表示面積を計算して大きい順に並べる。
【００８６】
ここでは、図１５のような構成になっているので、
削除矩形５０１の面積は、５００×（７２４−２１２）＝２５６０００
削除矩形５０２の面積は、（１２８０−１１４０）×３００＝４２０００
削除矩形５０３の面積は、５００×（１２３６−１０２４）＝１０６０００
削除矩形５０４の面積は、５００×３００＝１５００００
削除矩形５０５の面積は、６４０×３００＝１９２０００
となり、削除矩形５０１，５０５，５０４，５０３，５０２の順に並べて、削除画像再送手段３８に出力する。
【００８７】
図１１において、表示処理部１７ａ〜１７ｄの画像再構成手段３６ａ〜３６ｄは、削除画像再送手段３８から削除矩形を受けると、その削除矩形と画像保持手段２２ａ〜２２ｄに保持されている画像矩形とから、新しい矩形を再構成する。この例では、画像再構成手段３６ａは、削除矩形を何も受信しないので、矩形の再構成処理を行わない。
画像再構成手段３６ｂは、受信した削除画像５０２と画像保持手段２２ｂに保持されている画像矩形から新しい画像矩形を再構成し、その新しい画像矩形を画像保持手段２２ｂに戻す。
【００８８】
画像再構成手段３６ｃは、受信した削除画像５０１，５０４，５０５と画像保持手段２２ｃに保持されている画像矩形から新しい画像矩形を再構成し、その新しい画像矩形を画像保持手段２２ｃに戻す。
画像再構成手段３６ｄは、受信した削除画像５０２と画像保持手段２２ｄに保持されている画像矩形から新しい画像矩形を再構成し、その新しい画像矩形を画像保持手段２２ｄに戻す。
【００８９】
画像保持手段２２ａ〜２２ｄは、画像再構成手段３６ａ〜３６ｄから矩形画像データを受けると、その矩形画像データの複製を作成した上で、その矩形画像データを座標変換手段２３ａ〜２３ｄに出力する。
座標変換手段２３ａ〜２３ｄは、画像保持手段２２ａ〜２２ｄにより保持されている矩形画像データの座標系を大画面全体の座標系から自ディスプレイ２５ａ〜２５ｄの座標系に変換する。
座標変換処理については、上記実施の形態１で説明したものと同様である。
【００９０】
画像生成手段２４ａ〜２４ｄは、座標変換手段２３ａ〜２３ｄにより座標系が変換された画像データにしたがって画像を自ディスプレイ２５ａ〜２５ｄに表示する。
以上がステップ３の動作の流れである。
【００９１】
以上で明らかなように、この実施の形態３によれば、各表示処理部１７ａ〜１７ｄが最低限の画像データを保持するだけで、画像の表示位置を移動することができる効果を奏する。
また、移動する画像の矩形の大きなものから順番に送信するので、視覚的なストレスを軽減することができる効果を奏する。
【００９２】
なお、この実施の形態３では、画像切り抜き手段１９ａ〜１９ｄが表示領域に含まれる部分の画像データのみを切り抜くものについて示したが、上記実施の形態１と同様に、隣接領域に含まれる部分の画像データも切り抜くようにしてもよい。
【００９３】
実施の形態４．
図１６はこの発明の実施の形態４による画像描画装置を示す構成図であり、図において、図５と同一符号は同一または相当部分を示すので説明を省略する。
３９ａ〜３９ｄは不要部分の画像データを符号化する削除画像符号化手段、４０ａ〜４０ｄは他の表示処理部１７ａ〜１７ｄから受信した不要部分の画像データを復号化する削除画像復号手段である。
【００９４】
図１７〜図１９は画像描画装置の処理内容を示すフローチャートである。図２０は矩形画像データを示す説明図である。図２０において、６０１〜６０５は削除矩形５０１〜５０５が符号化された圧縮削除矩形である。
【００９５】
この実施の形態４では、大画面上に画像データ１１を矩形（６４０，５１２）、（１９１９，５１２）、（１９１９，１５３５）、（６４０，１５３５）に表示した後、始点座標（１１４０，２１２）に移動して、再表示する例をとって説明する。
図６，図１７〜１９において、画像データを受信して各々の表示範囲に画像を表示するステップ１と、画像データを移動し、移動により不要になった画像データを圧縮し、各々必要とする表示処理部に送信するステップ２と、圧縮画像データを受信して伸長した後、元の画像と合わせて再表示するステップ３とに分けて説明する。
ただし、ステップ１の流れについては、上記実施の形態２と同様であるため説明を省略する。
【００９６】
ステップ２の流れについて説明する。
図６において、座標変更手段３２が移動に伴う変更座標を表示処理部１７ａ〜１７ｄに対してマルチキャストで送信する。
次に、図１７〜１９において、画像切り抜き手段１９ａ〜１９ｄは、受信した変更座標に基づいて画像データを移動して、不用な部分を切り抜き、その切り抜いた削除矩形を削除画像送信手段３３ａ〜３３ｄに出力する。
【００９７】
この例では、画像切り抜き手段１９ａは、画像保持手段２２ａにより保持されている画像データを（１１４０，１０２４）、（１２７９，１２３５）の矩形に切り取り、不用になった削除矩形５０２，５０３，５０４を削除画像送信手段３３ａに送り、必要な部分のみ画像保持手段２２ａに送る。
画像切り抜き手段１９ｂは、画像保持手段２２ｂにより保持されている画像データを（１１４０，２１２）、（１２７９，７２３）の矩形に切り取り、不用になった削除矩形５０１を削除画像送信手段３３ｂに送り、必要な部分のみ画像保持手段２２ｂに送る。
【００９８】
画像切り抜き手段１９ｃは、画像保持手段２２ｃにより保持されている画像データのうち、移動によって不要になる部分がないので、削除画像送信手段３３ｃには何も送らず、そのまま画像保持手段２２ｃに送る。
画像切り抜き手段１９ｄは、画像保持手段２２ｄにより保持されている画像データを（１７８０，１０２４）、（２４１２，１２３５）の矩形に切り取り、不用になった削除矩形５０５を削除画像送信手段３３ｄに送り、必要な部分のみ画像保持手段２２ｄに送る。
【００９９】
次に、削除画像送信手段３３ａ〜３３ｄの削除画像符号化手段３９ａ〜３９ｄは、画像切り抜き手段１９ａ〜１９ｄから不用になった削除矩形を受けると、その削除矩形を符号化して圧縮し、その圧縮削除矩形を削除画像送信手段３３ａ〜３３ｄに与える。
この例では、削除画像符号化手段３９ａは、削除矩形５０２，５０３，５０４を符号化して圧縮し、その圧縮削除矩形６０２，６０３，６０４を削除画像送信手段３３ａに与える。
また、削除画像符号化手段３９ｂは、削除矩形５０１を符号化して圧縮し、その圧縮削除矩形６０１を削除画像送信手段３３ｂに与える。
【０１００】
また、削除画像符号化手段３９ｃは、削除矩形を何も受け取っていないので、符号化処理を行わない。
さらに、削除画像符号化手段３９ｄは、削除矩形５０５を符号化して圧縮し、その圧縮削除矩形６０５を削除画像送信手段３３ｄに与える。
【０１０１】
次に、削除画像送信手段３３ａ〜３３ｄは、削除画像符号化手段３９ａ〜３９ｄから与えられた圧縮削除矩形を必要とする他の表示処理部１７ａ〜１７ｄに対して各々送信する。
この例では、削除画像送信手段３３ａは、圧縮削除矩形６０２を表示処理部１７ｂに送信し、圧縮削除矩形６０３を表示処理部１７ｄに送信し、圧縮削除矩形６０４を表示処理部１７ｃに送信する。
【０１０２】
削除画像送信手段３３ｂは、圧縮削除矩形６０１を表示処理部１７ｃに送信する。
また、削除画像送信手段３３ｃは、送信する圧縮削除矩形がないので、何も送信しない。
さらに、削除画像送信手段３３ｄは、圧縮削除矩形６０５を表示処理部１７ｃに送信する。
以上がステップ２の動作の流れである。
【０１０３】
次にステップ３の流れについて説明する。
表示処理部１７ａ〜１７ｄの削除画像復号手段４０ａ〜４０ｄは、他の表示処理部１７ａ〜１７ｄから送信された圧縮削除矩形を復号化して伸長し、その削除矩形を画像再構成手段３６ａ〜３６ｄに与える。
この例では、削除画像復号手段４０ａは、圧縮削除矩形を何も受信しないので、復号化処理を行わない。
削除画像復号手段４０ｂは、圧縮削除矩形６０２を復号化して伸長することにより削除矩形５０２に戻し、その削除矩形５０２を画像再構成手段３６ｂに与える。
【０１０４】
また、削除画像復号手段４０ｃは、圧縮削除矩形６０１，６０４，６０５を復号化して伸長することにより削除矩形５０１，５０４，５０５に戻し、その削除矩形５０１，５０４，５０５を画像再構成手段３６ｃに与える。
さらに、削除画像復号手段４０ｄは、圧縮削除矩形６０３を復号化して伸長することにより削除矩形５０３に戻し、その削除矩形５０３を画像再構成手段３６ｄに与える。
【０１０５】
画像再構成手段３６ａ〜３６ｄは、削除画像復号手段４０ａ〜４０ｄから削除矩形を受けると、その削除矩形と画像保持手段２２ａ〜２２ｄに保持されている画像矩形とから、新しい矩形を再構成する。
この例では、画像再構成手段３６ａは、削除矩形を何も受信しないので、矩形の再構成処理を行わない。
画像再構成手段３６ｂは、受信した削除画像５０２と画像保持手段２２ｂに保持されている画像矩形から新しい画像矩形を再構成し、その新しい画像矩形を画像保持手段２２ｂに戻す。
【０１０６】
画像再構成手段３６ｃは、受信した削除画像５０１，５０４，５０５と画像保持手段２２ｃに保持されている画像矩形から新しい画像矩形を再構成し、その新しい画像矩形を画像保持手段２２ｃに戻す。
画像再構成手段３６ｄは、受信した削除画像５０２と画像保持手段２２ｄに保持されている画像矩形から新しい画像矩形を再構成し、その新しい画像矩形を画像保持手段２２ｄに戻す。
【０１０７】
画像保持手段２２ａ〜２２ｄは、画像再構成手段３６ａ〜３６ｄから矩形画像データを受けると、その矩形画像データの複製を作成した上で、その矩形画像データを座標変換手段２３ａ〜２３ｄに出力する。
座標変換手段２３ａ〜２３ｄは、画像保持手段２２ａ〜２２ｄにより保持されている矩形画像データの座標系を大画面全体の座標系から自ディスプレイ２５ａ〜２５ｄの座標系に変換する。
座標変換処理については、上記実施の形態１で説明したものと同様である。
【０１０８】
画像生成手段２４ａ〜２４ｄは、座標変換手段２３ａ〜２３ｄにより座標系が変換された画像データにしたがって画像を自ディスプレイ２５ａ〜２５ｄに表示する。
以上がステップ３の動作の流れである。
【０１０９】
以上で明らかなように、この実施の形態４によれば、各表示処理部１７ａ〜１７ｄが最低限の画像データを保持するだけで、画像の表示位置を移動することができる効果を奏する。
また、移動する画像を符号化してから送信するので、通信するデータ量が削減され、ネットワークの負荷を軽減することができる効果を奏する。
さらに、削除矩形を必要とする表示処理部に対して、直接送信することにより、最低限のデータを移動するだけで、画像の表示位置を移動することができる効果を奏する。
【０１１０】
なお、この実施の形態４では、画像切り抜き手段１９ａ〜１９ｄが表示領域に含まれる部分の画像データのみを切り抜くものについて示したが、上記実施の形態１と同様に、隣接領域に含まれる部分の画像データも切り抜くようにしてもよい。
【０１１１】
【発明の効果】
以上のように、この発明によれば、表示制御手段から送信される画像データと表示範囲情報を受信すると、その表示範囲情報を参照して、自画面の表示領域と隣接領域に含まれる部分の画像データを切り抜く複数の画像切り抜き手段と、複数の画像切り抜き手段により切り抜かれた画像データをそれぞれ保持する複数の画像保持手段とを設けるように構成したので、通信手段の負荷の増大を招くことなく、画像の表示位置を移動することができる効果がある。
【０１１２】
この発明によれば、画像切り抜き手段が隣接領域を動的に変更するように構成したので、画像の表示位置をスムーズに移動することができる効果がある。
【０１１３】
この発明によれば、画像切り抜き手段が隣接領域を繰り返し変更して、その隣接領域の最適化を図るように構成したので、さらに画像の表示位置をスムーズに移動することができる効果がある。
【０１１４】
この発明によれば、複数の画像切り抜き手段が表示範囲の変更情報を受けると、複数の画像保持手段により保持されている画像データから不要部分をそれぞれ切り抜いて、その不要部分の画像データを表示制御手段に送信する一方、表示制御手段が不要部分の画像データにしたがって矩形画像を生成すると、その矩形画像にしたがって複数の画像保持手段により保持されている画像データをそれぞれ再構成するように構成したので、各表示処理部が最低限の画像データを保持するだけで、画像の表示位置を移動することができる効果がある。
【０１１５】
この発明によれば、表示制御手段が不要部分の画像データを複数個受信すると、複数の画像データを組み合わせて矩形画像を生成するように構成したので、受信する矩形画像のリクエストの数を軽減することができる効果がある。
【０１１６】
この発明によれば、表示制御手段が不要部分の画像データにしたがって矩形画像を生成すると、その矩形画像の必要な画像切り抜き手段に対して当該矩形画像を送信するように構成したので、通信手段の負荷の増大を招くことなく、画像の表示位置を移動することができる効果がある。
【０１１７】
この発明によれば、表示制御手段が複数の矩形画像を生成した場合、表示面積の大きな矩形画像から順番に送信するように構成したので、視覚的なストレスを少なくすることができる効果がある。
【０１１８】
この発明によれば、複数の画像切り抜き手段が表示範囲の変更情報を受けると、複数の画像保持手段により保持されている画像データから不要部分をそれぞれ切り抜いて、その不要部分の画像データを他の画像切り抜き手段に送信する一方、他の画像切り抜き手段から不要部分の画像データを受信すると、その不要部分の画像データにしたがって画像保持手段により保持されている画像データを再構成するように構成したので、通信手段の負荷の増大を招くことなく、画像の表示位置を移動することができる効果がある。
【０１１９】
この発明によれば、画像切り抜き手段が不要部分の画像データを符号化して他の画像切り抜き手段に送信する一方、他の画像切り抜き手段から受信した不要部分の画像データを復号化するように構成したので、ネットワークの負荷を軽減することができる効果がある。
【０１２０】
この発明によれば、複数の表示処理部が表示制御部から送信される画像データと表示範囲情報を受信すると、その表示範囲情報を参照することにより、自画面の表示領域と隣接領域に含まれる部分の画像データをそれぞれ切り抜いて保持するように構成したので、通信手段の負荷の増大を招くことなく、画像の表示位置を移動することができる効果がある。
【０１２１】
この発明によれば、隣接領域を動的に変更するように構成したので、画像の表示位置をスムーズに移動することができる効果がある。
【０１２２】
この発明によれば、隣接領域を繰り返し変更して、その隣接領域の最適化を図るように構成したので、さらに画像の表示位置をスムーズに移動することができる効果がある。
【０１２３】
この発明によれば、表示範囲の変更情報を受けると、保持している画像データから不要部分をそれぞれ切り抜いて、その不要部分の画像データを表示制御部に送信する一方、表示制御部が不要部分の画像データにしたがって矩形画像を生成すると、その矩形画像にしたがって保持している画像データをそれぞれ再構成するように構成したので、各表示処理部が最低限の画像データを保持するだけで、画像の表示位置を移動することができる効果がある。
【０１２４】
この発明によれば、不要部分の画像データを複数個受信すると、複数の画像データを組み合わせて矩形画像を生成するように構成したので、受信する矩形画像のリクエストの数を軽減することができる効果がある。
【０１２５】
この発明によれば、不要部分の画像データにしたがって矩形画像を生成すると、その矩形画像の必要な表示処理部に対して当該矩形画像を送信するように構成したので、通信手段の負荷の増大を招くことなく、画像の表示位置を移動することができる効果がある。
【０１２６】
この発明によれば、複数の矩形画像を生成した場合、表示面積の大きな矩形画像から順番に送信するように構成したので、視覚的なストレスを少なくすることができる効果がある。
【０１２７】
この発明によれば、表示範囲の変更情報を受けると、保持している画像データから不要部分をそれぞれ切り抜いて、その不要部分の画像データを他の表示処理部に送信する一方、他の表示処理部から不要部分の画像データを受信すると、その不要部分の画像データにしたがって保持している画像データを再構成するように構成したので、通信手段の負荷の増大を招くことなく、画像の表示位置を移動することができる効果がある。
【０１２８】
この発明によれば、不要部分の画像データを符号化して他の表示処理部に送信する一方、他の表示処理部から受信した不要部分の画像データを復号化するように構成したので、ネットワークの負荷を軽減することができる効果がある。
【図面の簡単な説明】
【図１】  この発明の実施の形態１による画像描画装置を示す構成図である。
【図２】  画像描画装置の処理内容を示すフローチャートである。
【図３】  画像描画装置の処理内容を示すフローチャートである。
【図４】  画像描画装置の処理内容を示すフローチャートである。
【図５】  この発明の実施の形態２による画像描画装置を示す構成図である。
【図６】  画像描画装置の処理内容を示すフローチャートである。
【図７】  画像描画装置の処理内容を示すフローチャートである。
【図８】  画像描画装置の処理内容を示すフローチャートである。
【図９】  画像描画装置の処理内容を示すフローチャートである。
【図１０】  矩形画像データを示す説明図である。
【図１１】  この発明の実施の形態３による画像描画装置を示す構成図である。
【図１２】  画像描画装置の処理内容を示すフローチャートである。
【図１３】  画像描画装置の処理内容を示すフローチャートである。
【図１４】  画像描画装置の処理内容を示すフローチャートである。
【図１５】  矩形画像データを示す説明図である。
【図１６】  この発明の実施の形態４による画像描画装置を示す構成図である。
【図１７】  画像描画装置の処理内容を示すフローチャートである。
【図１８】  画像描画装置の処理内容を示すフローチャートである。
【図１９】  画像描画装置の処理内容を示すフローチャートである。
【図２０】  矩形画像データを示す説明図である。
【図２１】  従来の画像描画装置を示す構成図である。
【図２２】  従来の画像描画装置の処理内容を示すフローチャートである。
【符号の説明】
１１  画像データ、１２  表示範囲情報、１３  描画データ、１４  表示制御部（表示制御手段）、１５  描画データ送信手段、１６  通信手段、１７ａ〜１７ｄ  表示処理部、１８ａ〜１８ｄ  画像データ選別手段、１９ａ〜１９ｄ  画像切り抜き手段、２０ａ〜２０ｄ  隣接領域最適化手段、２１ａ〜２１ｄ  隣接領域変更手段、２２ａ〜２２ｄ  画像保持手段、２３ａ〜２３ｄ  座標変換手段、２４ａ〜２４ｄ  画像生成手段、２５ａ〜２５ｄ  ディスプレイ、３１  変更座標、３２  座標変更手段、３３ａ〜３３ｄ  削除画像送信手段、３４  削除画像再構成手段、３５  削除画像再送手段、３６ａ〜３６ｄ  画像再構成手段、３７  削除画像判定手段、３８  削除画像再送手段、３９ａ〜３９ｄ  削除画像符号化手段、４０ａ〜４０ｄ  削除画像復号手段、５０１〜５０５  削除矩形、５１０，５１１  再構成矩形、６０１〜６０５  圧縮削除矩形。
【図１】
0003706002.tif 000002
【図２】
0003706002.tif 000003
【図３】
0003706002.tif 000004
【図４】
0003706002.tif 000005
【図５】
0003706002.tif 000006
【図６】
0003706002.tif 000007
【図７】
0003706002.tif 000008
【図８】
0003706002.tif 000009
【図９】
0003706002.tif 000010
【図１０】
0003706002.tif 000011
【図１１】
0003706002.tif 000012
【図１２】
0003706002.tif 000013
【図１３】
0003706002.tif 000014
【図１４】
0003706002.tif 000015
【図１５】
0003706002.tif 000016
【図１６】
0003706002.tif 000017
【図１７】
0003706002.tif 000018
【図１８】
0003706002.tif 000019
【図１９】
0003706002.tif 000020
【図２０】
0003706002.tif 000021
【図２１】
0003706002.tif 000022
【図２２】
0003706002.tif 000023